(57)【特許請求の範囲】
【請求項１】
空気の流れを発生させるファンと、
前記空気の流れの流路上であって前記ファンより上流側に存在し、前記空気の流れを通過させる孔を有するフィルタと、
前記フィルタを回転させる電動機と、
前記ファンと前記電動機の回転を制御する制御部と、
前記制御部にレンジフードの稼働／停止信号を出力する信号出力部と、
を備え、
前記制御部は、前記ファンと前記電動機とを同時に回転させている稼働状態において、前記信号出力部から停止信号を受けると前記電動機の回転速度を減少させ始め、前記電動機の回転速度が所定の回転速度になるまで前記ファンの回転を維持し、前記電動機の回転速度が前記所定の回転速度になるまで漸減させ、かつその後漸減させずに前記所定の回転速度で維持し、その後前記電動機の通電をオフにする、
レンジフード。
【請求項２】
前記制御部は、前記電動機の回転速度が前記所定の回転速度になるまで、前記稼働状態における前記ファンの回転速度を維持することを特徴とする請求項１に記載のレンジフード。
【請求項３】
前記制御部は、前記電動機の回転速度が前記所定の回転速度になるまでの間に、前記ファンの回転速度を漸減させることを含むことを特徴とする請求項１に記載のレンジフード。
【請求項４】
前記制御部は、前記電動機の回転速度が前記所定の回転速度になるまで、前記ファンの回転速度が既定の回転速度以下にならないように制御することを特徴とする請求項３に記載のレンジフード。
【発明の詳細な説明】
【技術分野】
【０００１】
本発明は、フィルタを回転させて油分を捕集するレンジフードに関する。
【背景技術】
【０００２】
調理器の上方または周囲に設置され、調理により発生した煙や油粒子、臭気を捕集して排気または室内に循環するレンジフードには、捕集した空気から油を分離回収するためのフィルタが設けられている。このフィルタは、油捕集率を高めることがフィルタの下流側の送風機やダクト等の汚れを防止し、これらのメンテナンス周期の長期化や長寿命化に貢献することから、円盤状のフィルタを高速回転させることで高い油捕集率を実現する高捕集型フィルタを搭載したレンジフードを本出願人自ら出願している（特許文献１）。
【０００３】
かかるレンジフードを稼働状態から停止させる場合、停止の指令を受けてすぐにフィルタを回転させる電動機の通電をオフにして回転速度を急激に落として停止させると、電動機に比し慣性の大きいフィルタが高速に回転しているが故に、電動機の軸にフィルタの回り止めとして設けたピンとピンに係合するフィルタのボス溝が衝突し、大きな衝撃音が発生するという問題があった。そのため、かかるレンジフードを停止させる場合は、停止の指令を受けるとフィルタ用電動機を速い回転速度から急に停止させないように回転速度を徐々に減少させていくことで、大きな衝撃音の発生を防いでいた。
【先行技術文献】
【特許文献】
【０００４】
【特許文献１】特開２０１３−１３９９４５号公報
【発明の概要】
【発明が解決しようとする課題】
【０００５】
しかし、この様にフィルタの回転速度を制御しても、フィルタをある一定の回転速度まで減速させたときにフィルタ用電動機の回転とフィルタの回転との間にギャップが生まれ、これによってピンとボス溝が繰り返し衝突し、連続した衝突音が発生することがあった。
【０００６】
そこで、本発明は、上記問題に鑑みてなされたものであり、本発明の目的とするところは、稼働状態から停止状態とするまでの間に、フィルタ用電動機とフィルタとの間で生ずる大きな衝撃音および連続した衝突音を発生させないレンジフードを提供することにある。
【課題を解決するための手段】
【０００７】
上記課題を解決するために、空気の流れを発生させるファンと、空気の流れの流路上であってファンより上流側に存在し、空気の流れを通過させる孔を有するフィルタと、フィルタを回転させる電動機と、ファンと電動機の回転を制御する制御部と、制御部にレンジフードの稼働／停止信号を出力する信号出力部と、を備え、制御部は、ファンと電動機とを同時に回転させている稼働状態において、信号出力部から停止信号を受けると電動機の回転速度を減少させ始め、電動機の回転速度が所定の回転速度になるまでファンの回転を維持し、前記電動機の回転速度が前記所定の回転速度になるまで漸減させ、かつその後漸減させずに前記所定の回転速度で維持し、その後前記電動機の通電をオフにする、レンジフードが提供される。
これによれば、フィルタ（電動機）の回転速度を徐々に減少させつつ、フィルタの回転速度が所定の回転速度になるまでファンの回転を維持してファンが発生させる空気の流れを維持することにより、フィルタが空気の流れの方へ押さえつけられてフィルタのボス溝と電動機シャフトのピンとの係合が緩むことがなく、大きな衝撃音および連続した衝突音を発生させないレンジフードを提供することができる。
【０００８】
さらに、制御部は、電動機の回転速度が所定の回転速度になるまで、稼働状態におけるファンの回転速度を維持することを特徴としてもよい。
これによれば、フィルタの回転速度が所定の回転速度になるまで、停止信号を受ける直前の稼働状態のファンの回転速度をそのまま維持するという簡単な制御により、大きな衝撃音および連続した衝突音の発生を防止することができる。
【０００９】
さらに、制御部は、電動機の回転速度が所定の回転速度になるまでの間に、ファンの回転速度を漸減させることを含むことを特徴としてもよい。
これによれば、フィルタの回転速度が所定の回転速度になるまでの間にファンの回転速度を漸減させることで、停止信号を受けてからファンが完全に停止するまでの時間を短縮することができる。
【００１０】
さらに、制御部は、電動機の回転速度が所定の回転速度になるまで、ファンの回転速度が既定の回転速度以下にならないように制御することを特徴としてもよい。
これによれば、ファンの回転速度が、事前に定められたフィルタのボス溝とシャフトのピンとの係合が緩むことがない空気の流れを発生させる回転速度以下にならないことで、フィルタが安定した回転状態となり、確実に大きな衝撃音および連続した衝突音の発生を防止することができる。
【発明の効果】
【００１１】
以上説明したように、本発明によれば、稼働状態から停止状態とするまでの間に、フィルタ用電動機とフィルタとの間で生ずる大きな衝撃音および連続した衝突音を発生させないレンジフードを提供することができる。
【図面の簡単な説明】
【００１２】
【図１】本発明に係る第一実施例のレンジフードの、（Ａ）底面図、（Ｂ）整流板を取り外した場合の底面図。
【図２】本発明に係る第一実施例のレンジフードの、整流板を取り外した場合の、（Ａ）右下から見た斜視図、（Ｂ）同拡大斜視図。
【図３】本発明に係る第一実施例のレンジフードの、（Ａ）断面図（図１（Ｂ）のＩ−Ｉ断面における）、（Ｂ）同拡大断面図。
【図４】本発明に係る第一実施例のレンジフードにおけるフィルタとファンの回転の制御方法（Ａ）と、その変形例（Ｂ）。
【図５】本発明に係る第二実施例のレンジフードにおけるフィルタとファンの回転の制御方法のバリエーション。
【図６】本発明に係る第二実施例の変形例のレンジフードにおけるフィルタとファンの回転の制御方法のバリエーション（その一）。
【図７】本発明に係る第二実施例の変形例のレンジフードにおけるフィルタとファンの回転の制御方法のバリエーション（その二）。
【図８】レンジフードにおけるフィルタとファンの回転の制御方法におけるその他の変形例。
【図９】本発明に係るレンジフードにおける、稼働状態のフィルタとファンの回転速度別の制御方法。（Ａ）停止信号を受ける直前に強運転していた場合、（Ｂ）停止信号を受ける直前に中運転していた場合、（Ｃ）停止信号を受ける直前に弱運転していた場合。
【発明を実施するための形態】
【００１３】
以下では、図面を参照しながら、本発明に係る各実施例について説明する。
＜第一実施例＞
図１乃至図３を参照し、本実施例にかかるレンジフード１について説明する。レンジフード１は、下方または周囲で行われる調理によって発生する湯気や油煙等を捕集するための、上方に凹状の内面パネル５を内面に有する薄型のフード部２を有する。フード部２は、上部後方に位置する内面パネル５の連通口６付近で、排気ダクト（図示せず）に接続される送風機ボックス３と連結されている。送風機ボックス３は、幕板９の背面側に位置し、内部にシロッコファンであり空気の流れＤ１を発生させるファン４を有する。従って、ファン４が稼働すると連通口６は負圧となり、内面パネル５の下方の空気は連通口６を通して吸入され、排気ダクトを通して外部に排出される。連通口６は、ファン４と連通し、ファン４が発生させた空気の流れＤ１の流路上であって、ファン４より空気の流れの上流側に位置する。
【００１４】
レンジフード１は、連通口６の位置に、空気の流れＤ１を通過させる孔１１を有する円盤状のフィルタ１０と、円盤状のフィルタ１０の中心にシャフト２１を連結され、フィルタ１０を回転させる電動機２０と、電動機２０を内面パネル５に取り付けるための電動機取付具４０と、内面パネル５に取り付けられ、フィルタ１０の外周縁を囲むようにして配置される油分捕集部材３０と、を備える。従って、レンジフード１は、ファン４が発生させる空気の流れＤ１の流路上であって、ファン４よりその流れの上流側に存在し、その空気の流れを図視で下から上に通過させる孔１１を有するフィルタ１０を、回転可能に備える。
【００１５】
さらに、レンジフード１は、ファン４と電動機２０の回転を制御する制御部９０と、制御部９０にレンジフード１の稼働／停止信号を出力する信号出力部９１と、を備える。制御部９０は、後述するファン４と電動機２０の回転を制御する方法を記述した制御プログラムなどを含む公知のマイコンから構成される。信号出力部９１は、レンジフード１の使用者が操作するスイッチから構成され、フード部２の正面側の側面に配置されている。むろん、これに限定されず、レンジフード１とは別体のリモコンや、調理器からの信号を受け取って出力を行うように構成されても良い。また、信号出力部９１は、制御部９０にレンジフード１の稼働停止信号だけでなく、ファン４と電動機２０の回転速度の変更を指示する信号を出力してもよい。
【００１６】
内面パネル５の下方の空気は、調理によって発生する湯気や油煙等を含んでおり、ファン４が稼働すると、連通口６に存在する、即ちファン４が発生させた空気の流れＤ１の流路上であってファン４より上流側に位置するフィルタ１０の孔１１に吸引され、その孔１１を通過することになる。制御部９０は、信号出力部９１から稼働信号を受けると、ファン４を回転させて空気の流れＤ１を発生させると共に、電動機２０により回転可能に設けられたフィルタ１０を電動機２０に通電することで回転させる。レンジフード１は、フィルタ１０を回転させることにより、空気に含まれる油分を油分捕集部材３０に捕集する。
【００１７】
油分の捕集方法に関して詳述する。レンジフード１の下方で行われる調理によって発生する湯気や油煙等と共に、暖められた空気はレンジフード１の方へ立ち上る。レンジフード１が運転を開始しファン４が回転し始めると、ファン４は空気の流れＤ１を発生させる。そうすると、整流板７辺りに立ち上った空気は、整流板７と内面パネル５の間から吸い込まれ、その後フィルタ１０の孔１１を通過して、送風機ボックス３内のファン４に吸入される。そして、その後、送風機ボックス３から排気ダクトへ排出される。
【００１８】
制御部９０は、稼働状態においては、レンジフード１が調理によって発生する油煙等を捕集するために空気の流れを発生させるファン４を回転させている時にフィルタ１０を回転させる電動機２０を回転させるように制御を行う。フィルタ１０の単位時間当たりの回転数は、フィルタの孔の開口状態にもよるが、少なくとも２３０ｒｐｍ（Ｒｏｔａｔｉｏｎ Ｐｅｒ Ｍｉｎｕｔｅ）以上であればよい。フィルタ１０がかかる回転速度で高速に回転すると、フィルタ１０の表面（孔１１のない部分）が、その表面に接する空気を摩擦力により引きずり、空気の粘性により付近の空気にもその動きが伝わることで、フィルタ１０の表面付近には空気の動きが生じ、フィルタ１０は回転運動をしているので、空気の動きはシャフト２１を中心とした渦状となる。
【００１９】
この渦状の空気の動きは、フィルタ１０の両面、即ちフィルタ１０の下面と上面の両方、換言すれば、フィルタ１０の空気の流れの上流側の面と下流側の面の両方に発生する。本実施例においては、ファン４が発生させる空気の流れが、フィルタ１０の孔１１を通って流れているので、フィルタ１０の下流側では、渦状の空気の動きはフィルタ１０の表面から引き離されつつ、フィルタ１０の外周縁に向かうらせん状流が発生し、ファン４により吸引される。一方、フィルタ１０の上流側では、渦状の空気の動きはフィルタ１０の表面に押さえつけられ、フィルタ１０の外周縁に向かう渦状流を伴う密度の高い空気層が形成される。
【００２０】
調理等で発生した油分は、空気の流れと共に流されてフィルタ１０の上流側の面付近に到達する。上流側の面付近に到達した油分は、一部（粒子径の比較的小さい油分）は密度の高い空気層の外周縁に向かう渦状流により、また、他の一部（粒子径の比較的大きい油分）はフィルタ１０の上流側の表面（孔１１のない部分）に衝突することにより、フィルタ１０の外周縁方向に弾き飛ばされる。その結果、円盤状のフィルタ１０の外周縁を取り囲むように備えられた油分捕集部材３０に捕集され、回収される。従って、本実施例のレンジフード１は、空気流路におけるフィルタ１０より下流部分にほとんど油分を付着させず、フィルタ１０より下流部分のファン４や排気ダクトなどを清掃／洗浄する手間を大幅に軽減することができる。
【００２１】
かかるレンジフード１は、従来のスロットフィルタやＨＥＰＡフィルタ等を用い、スリットや目を細かくしたり、重ね合わせて複層としたりすることにより油捕集効率を向上させることに比べ、圧力損失が小さい状態で高い油捕集効率を有することができる。よって、従来のフィルタと比較して低い通気抵抗を維持したまま高い油捕集効率を得ることができる。また、フィルタに油分が付着し目詰まりを起こすことが少なくなることにより、フィルタ自体の洗浄の労力が低減し、使用するに従って圧力損失が増加することを防止でき、さらに、空気流路におけるフィルタより下流部分にほとんど油分が付着しないため、フィルタより下流部分を清掃／洗浄する手間を大幅に軽減するレンジフードを提供できる。
【００２２】
ファン４のファンの種類は特に限定されず、空気の流れを生じさせる軸流ファンなどのその他のファンであってよい。好ましくは、本実施例に使用された、静圧の高いシロッコファンである。また、フード部２の下方には、フード部２と着脱可能であり、フード部２との間に隙間を有して吸込力を高める整流板７を備える。本実施例におけるレンジフード１は整流板７を備えるが、整流板７の存在は特に限定されず、あってもなくてもよい。整流板が存在しない場合または整流板を取り外した場合には、フード部２の内面である上方に凹状の内面パネル５と、円盤状のフィルタ１０と、フィルタ１０の外周縁を囲むように設けられた油分捕集部材３０とが、直接使用者から視認できる。
【００２３】
後述するように、制御部９０は、フィルタ１０を回転させる電動機２０に対して様々な制御を行うが、それに加えて、使用者が操作スイッチから構成される信号出力部９１を操作することにより、使用者自らが柔軟なフィルタの回転を制御できるようにしてもよい。信号出力部９１は、使用者の操作により、ファン４や電動機２０の回転を開始する、回転を終了する、回転の速度を変更する等を行うことができる。また、フィルタ１０のメンテナンス操作として、電動機２０のみを所定時間回転させた後に自動で停止する操作を行うことができるようにしてもよい。
【００２４】
また、本実施例では、フィルタ１０の両側の表面における孔１１以外の部分は、突起物や凹凸がなく、平らで滑らかである平滑な面であるが、これに限定されず、一般的なスロットフィルタのようにスリット（孔）と共に切り起こしなどの突起物があってもよい。本実施例のようにフィルタが平滑な面を備えれば、フィルタでの空気の流れの通気抵抗がさらに小さくなり、さらにはフィルタの回転抵抗も小さくなるのでフィルタを回転させる電動機は小さなトルクを有するもので十分となる。また、フィルタ上に切り起こしなどの突起部がないため空気を切る騒音が小さいレンジフードを提供できる。また、これらにより、フィルタを高速に回転させることが容易になる。また、油分のほとんどはフィルタの表面で捕集され、フィルタの孔の側面で油分を捕集することはほとんどないので、フィルタの孔が油で目詰まりすることがさらに少なくなり、さらに切り起こしなどの突起部がないためフィルタ自身の清掃／洗浄が容易になる。
【００２５】
外形が円形のフィルタ１０は、電動機２０のシャフト２１の先端部分に、フィルタ１０の面がシャフト２１に垂直になるようにフィルタ中心に設けられた中心孔に当該先端部分を貫通させて着脱具１４を用いて着脱自在に取り付けられる。シャフト２１は、シャフト２１から回転軸に対して垂直方向に突出するピン２２を２つ有する。また、フィルタ１０は、中心孔の周囲にピン２２が係合する溝を有するボス１２を有する。フィルタ１０をシャフト２１に取り付ける際、フィルタ１０の中心孔にシャフト２１の先端部分を挿入し、ボス１２の溝がピン２２の固く係合するように押し込んでから、着脱具１４を用いてフィルタ１０をシャフト２１に固定する。このように、フィルタ１０の静止状態においては、フィルタ１０と電動機２０のシャフト２１は強固に係合して固定されている。
【００２６】
しかし、レンジフード１を稼働状態から停止させる場合、すなわち、ファン４とフィルタ１０を稼働状態から停止状態にする場合、停止の指令を受けてすぐにフィルタ１０を回転させる電動機２０の通電をオフにして回転速度を急激に落として停止させようとすると、電動機２０に比し慣性の大きいフィルタ１０が高速に回転しているが故に、電動機２０のシャフト２１にフィルタ１０の回り止めとして設けたピン２２とピン２２に係合するボス１２の溝とが衝突し、大きな衝撃音が発生することがある。
【００２７】
また、このような問題を回避するために、フィルタ１０を停止させる場合、停止の指令を受けた後電動機２０を高い回転速度から急に停止させないように回転速度を徐々に減少させても、フィルタ１０をある一定の回転速度まで減速させたときに電動機２０の回転とフィルタ１０の回転との間にギャップが生まれ、これによってピン２２とボス溝が繰り返し衝突し、連続した衝突音が発生することがある。本実施例では、かかる問題を、以下に述べるフィルタ１０を回転させる電動機２０およびファン４の回転速度を制御することにより解決するものである。
【００２８】
図４は、本実施例における制御部９０による、フィルタ１０（電動機２０）とファン４の回転速度の制御の方法を示す。制御部９０は、信号出力部９１から停止信号の入力を受ける以前の稼働状態においては、フィルタ１０とファン４をある一定の回転速度で回転させている。制御部９０は、稼働状態において、フィルタ１０を、例えば８００ｒｐｍ〜１５００ｒｐｍの回転速度で、ファン４を例えば４２０ｒｐｍ〜１５００ｒｐｍの回転速度で、回転させる。
【００２９】
制御部９０は、ファン４と電動機２０とを同時に回転させている稼働状態において、信号出力部９１から停止信号を受けると、電動機２０の回転速度を稼働状態における回転速度から徐々に減少させ始める。すなわち、制御部９０は、稼働状態において信号出力部９１から停止信号を受けた時、例えば通電をオフにして急にフィルタ１０の回転速度をゼロとするような制御を行うことはせず、電動機２０の回転速度を徐々に減速するように制御を行う。なお、回転速度の減速のさせ方は本図に示すような直線的なものでもよいし、緩やかなカーブを描くようなものであってもよい。
【００３０】
制御部９０は、徐々に電動機２０の回転速度を減速した結果、電動機２０の回転速度が所定の回転速度（図中、設定値と言う。以下同様）になった時電動機２０の通電をオフにして、回転速度を急にゼロとするように制御する。制御部９０は、その時電動機２０の通電をオフにするだけではなく、別途制動機構を備えて、急激に回転速度をゼロとしてもよい。なお、電動機２０の所定の回転速度とは、徐々に減速させていく過程において連続した衝突音が発生し始める回転速度よりやや高い回転速度とする。この所定の回転速度は、電動機２０の仕様や特性、フィルタ１０の大きさや重さによってさまざまに変化するものであるが、一例を示せば、１４７０ｒｐｍ程度の値である。
【００３１】
一方、制御部９０は、電動機２０の回転速度が所定の回転速度になるまでファン４用のモータの回転を維持する。さらに、本実施例では、制御部９０は、電動機２０の回転速度が所定の回転速度になるまでファン４の回転を維持するだけでなく、停止信号が入力される直前の稼働状態におけるファンの回転速度を維持する。これにより、停止信号を受ける直前の稼働状態のファンの回転速度をそのまま維持するという簡単な制御により、以下に述べるような著しい効果を奏する。
【００３２】
すなわち、フィルタ１０（電動機２０）の回転速度を徐々に減少させつつ、フィルタ１０の回転速度が所定の回転速度になるまでファン４の回転を維持してファンが発生させる空気の流れを維持することにより、フィルタ１０が空気の流れの方へ押さえつけられてフィルタ１０のボス１２の溝と電動機シャフト２１のピン２２との係合が緩むことがなく、大きな衝撃音および連続した衝突音を発生させないレンジフード１を提供することができる。また、フィルタ１０（電動機２０）の回転速度を徐々に減少させていき、フィルタ１０が稼働状態の回転速度に比し低速な所定の回転速度となった時に電動機２０の通電をオフにすることで、大きな衝撃音の発生を防ぐことができる。
【００３３】
また、制御部９０は、電動機２０の回転速度が所定の回転速度になった時、ファン４の回転速度をゼロとなるように制御する。本図（Ａ）は、制御部９０が電動機２０の回転速度が所定の回転速度になった時ファン４の通電をオフにするように制御することを示す。制御部９０は、通電をオフにするだけではなく、別途制動機構を備えて、急激に回転速度をゼロとしてもよい。こうすることにより、レンジフード１では、稼働状態から停止状態とする場合に、信号出力部９１で停止操作を行ってからファン４が完全に停止するまでの時間を短縮することができる。
【００３４】
＜第一実施例の変形例＞
制御部９０は、電動機２０の回転速度が所定の回転速度になった時ファン４の回転速度を減少させ始めて、ファン４の回転速度を漸減させてゼロとなるように制御してもよい。本図（Ｂ）は、制御部９０が電動機２０の回転速度が所定の回転速度になった時ファン４の回転速度を減少させ始めることを示す。そして、制御部９０は、上述の本図（Ａ）のように急に回転速度をゼロとするのではなく、ファン４の回転速度を徐々に減速してゼロとなるように制御する。こうすることにより、仮に衝撃音が生じるような場合であっても、レンジフード１では、フィルタ１０に備えられたボス１２の溝とフィルタ１０を回転させる電動機シャフト２１に備えられたピン２２との間で生じる衝撃音をより小さな音に低減させることができる。
【００３５】
なお、電動機２０の回転速度が所定の回転速度になった後、一定時間ファン４用のモータをその時の出力のまま運転することで、電動機２０が発生させる回生エネルギーをファン４用モータで消費させてもよい。こうすることにより、ファン４が完全に停止するまでの時間が長くなっても、消費電力を少なくすることができる。さらに過電圧を抑えることができ、ゆえに平滑コンデンサにかかる負荷が低くなるため平滑コンデンサの長寿命化につながる。また、信号出力部９１で停止操作を行ってからファン４が完全に停止するまでに平滑コンデンサにかかる電圧が抑えられるため、定格電圧が低い平滑コンデンサを使用することができ、よってコストが安い平滑コンデンサに変更することができる。
【００３６】
＜第二実施例＞
図５を参照し、本実施例に係るレンジフードを説明する。なお、重複記載を避けるために、上記実施例と異なる点を中心に述べる。本実施例におけるレンジフードは、制御部９０Ａ（図３（Ａ）に示す）のファンとフィルタ（電動機）の制御方法のみが上記実施例と異なっているだけであり物理的構造は同じなので、構造的要素の他の符号は同一の符号を用いる。
【００３７】
本実施例における制御部９０Ａは、ファン４と電動機２０とを同時に回転させている稼働状態において信号出力部９１から停止信号を受けると電動機２０の回転速度を稼働状態における回転速度から徐々に減少させ始めると共に、電動機２０の回転速度が所定の回転速度になるまでの間に、ファン４の回転速度を漸減させることを含むように制御する。一方、制御部９０Ａは、先にファン４用モータが停止することがないよう、必ずフィルタ１０（電動機２０）が完全に停止してからファン４用モータが停止するように制御する。
【００３８】
たとえば、本図（Ａ）に示すように、制御部９０Ａは、停止信号を受けると電動機２０を徐々に減少させ始めると共に、電動機２０の回転速度が所定の回転速度になるまでの間ファン４の回転速度も直線的に漸減させるよう制御する。そして、制御部９０Ａは、電動機２０の回転速度が所定の回転速度になった時電動機２０の通電をオフにすると共に、ファン４用モータの通電もオフにして、ファン４の回転速度をゼロとなるように制御する。
【００３９】
また、本図（B）に示すように、制御部９０Ａは、停止信号を受けると電動機２０を徐々に減少させ始めると共に、電動機２０の回転速度が所定の回転速度になるまでの間にファン４の回転速度を本図（Ａ）に示すよりも急激に直線的に漸減させ、かつその後漸減させずに一定回転速度を維持することも含むように制御する。そして、制御部９０Ａは、電動機２０の回転速度が所定の回転速度になった時電動機２０の通電をオフにすると共に、ファン４用モータの通電もオフにして、ファン４の回転速度をゼロとなるように制御する。
【００４０】
また、本図（Ｃ）に示すように、制御部９０Ａは、停止信号を受けると電動機２０を徐々に減少させ始めると共に、電動機２０の回転速度が所定の回転速度になるまでの間にファン４の回転速度を直線的に所定の回転速度とほぼ同じ回転速度になるまで漸減させるように制御する。そして、制御部９０Ａは、電動機２０の回転速度が所定の回転速度になった時電動機２０の通電をオフにすると共に、ファン４用モータの通電もオフにして、ファン４の回転速度をゼロとなるように制御する。
【００４１】
たとえば、本図（D）に示すように、制御部９０Ａは、停止信号を受けると電動機２０を徐々に減少させ始めると共に、電動機２０の回転速度が所定の回転速度になるまでの間ファン４の回転速度も直線的に漸減させるよう制御する。そして、制御部９０Ａは、電動機２０の回転速度が所定の回転速度になった時電動機２０の通電をオフにすると共に、ファン４の回転速度を継続して直線的に漸減させてゼロとなるように制御する。
【００４２】
また、本図（E）に示すように、制御部９０Ａは、停止信号を受けると電動機２０を徐々に減少させ始めると共に、電動機２０の回転速度が所定の回転速度になるまでの間にファン４の回転速度を本図（D）に示すよりも急に直線的に漸減させ、かつその後漸減させずに一定回転速度を維持することも含むように制御する。そして、制御部９０Ａは、電動機２０の回転速度が所定の回転速度になった時電動機２０の通電をオフにすると共に、ファン４の回転速度を直線的にさらに漸減させてゼロとなるように制御する。
【００４３】
また、本図（F）に示すように、制御部９０Ａは、停止信号を受けると電動機２０を徐々に減少させ始めると共に、電動機２０の回転速度が所定の回転速度になるまでの間にファン４の回転速度を直線的に所定の回転速度とほぼ同じ回転速度になるまで漸減させるように制御する。そして、制御部９０Ａは、電動機２０の回転速度が所定の回転速度になった時電動機２０の通電をオフにすると共に、ファン４の回転速度を直線的にさらに漸減させてゼロとなるように制御する。
【００４４】
このように、フィルタ１０の回転速度が所定の回転速度になるまでの間にファン４の回転速度を漸減させることで、停止信号を受けてからファン４が完全に停止するまでの時間を漸減しない場合に比し短縮することができる。
【００４５】
＜第二実施例の変形例＞
図６に示すように、制御部９０Ａは、稼働状態において停止信号を受けると電動機２０の回転速度を徐々に減少させ始めると共に、電動機２０の回転速度が所定の回転速度になるまでの間に、ファン４の回転速度を漸減させることを含むように制御するが、電動機２０の回転速度が所定の回転速度になるまでは、ファン４の回転速度が既定の回転速度以下にならないように制御する。なお、ファン４の既定の回転速度（図中、既定値と言う。以下同様）とは、ファン４が回転して発生させる空気の流れがフィルタ１０を押さえつけて、フィルタ１０のボス１２の溝と電動機シャフト２１のピン２２との係合が緩むことがない回転速度を言う。この既定の回転速度は、電動機２０の仕様や特性、フィルタ１０の大きさや重さによってさまざまに変化するものであるが、一例を示せば、１０００ｒｐｍ程度の値である。
【００４６】
たとえば、本図（Ａ）に示すように、制御部９０Ａは、停止信号を受けると電動機２０の回転速度を徐々に減少させ始めると共に、電動機２０の回転速度が所定の回転速度になるまでの間にファン４の回転速度を直線的に既定の回転速度まで漸減させ、かつその後漸減させずにその既定の回転速度を維持するように制御する。そして、制御部９０Ａは、電動機２０の回転速度が所定の回転速度になった時電動機２０の通電をオフにすると共に、ファン４の回転速度を直線的にさらに漸減させてゼロとなるように制御する。
【００４７】
また、本図（B）に示すように、制御部９０Ａは、停止信号を受けるとファン４を徐々に減少させ始めると共に、ファン４の回転速度が既定の回転速度になるまでの間電動機２０の回転速度も直線的に所定の回転速度まで漸減させ、かつその後漸減させずにその所定の回転速度を維持するように制御する。制御部９０Ａは、ファン４の回転速度が既定の回転速度になる前に、電動機２０の回転速度が所定の回転速度になった場合には電動機２０の回転速度を所定の回転速度に維持する。そして、制御部９０Ａは、ファン４の回転速度が既定の回転速度になった時、電動機２０の通電をオフにすると共に、ファン４の回転速度を継続して直線的に漸減させてゼロとなるように制御する。
【００４８】
こうすることにより、ファン４の回転速度が、事前に定められたフィルタ１０のボス溝とシャフト２１のピン２２との係合が緩むことがない空気の流れを発生させる回転速度以下にならないことで、フィルタ１０が安定した回転状態となり、確実に大きな衝撃音および連続した衝突音の発生を防止することができる。
【００４９】
また、図７に示すように、制御部９０Ａは、本変形例において、停止信号を受けた時点でファン４用モータの回転速度が規定の回転速度を下回っていた場合は、停止信号を受けた後も停止信号を受けた時の回転速度を維持するように制御してもよい。そして、制御部９０Ａは、フィルタ１０の回転速度が所定の回転速度になると、電動機２０の通電をオフにしてフィルタ１０の回転速度を急にゼロになるように制御すると共に、ファン４の回転速度を直線的に漸減させてゼロとなるように制御する。こうすることにより、停止信号を受けた時にファン４用モータが既定の回転速度を下回っていてもファン４用モータが無駄な動作をすることがない。 
【００５０】
＜その他の変形例＞
図８に示すように、稼働状態において停止信号を受けた時点で電動機２０の回転速度が所定の回転速度を下回っている場合は、停止信号を受けた後すぐに、電動機２０の通電をオフにして、電動機２０の回転速度を急にゼロにする制御を行う。ファン４は、停止信号を受けた時点で、ファン４の回転速度を減少させはじめ、漸減させてゼロとなるように制御する。こうすることで、停止信号を受けた後すぐにフィルタ１０が停止するため、ファン４の停止までの時間をより短くすることができる。
【００５１】
上記した稼働状態におけるフィルタ１０とファン４の回転速度は、一の値として説明したが、図９に示すように、さまざまな回転速度であってもよい。本図（Ａ）は、停止信号を受ける直前の稼働状態におけるレンジフード１は、強運転をしていたときを示し、本図（Ｂ）は中運転を、（Ｃ）は弱運転をしていたときを示す。なお、制御部９０Ａのフィルタ１０とファン４の回転の制御は、図４（Ｂ）に示す制御と同じ制御としたが、これに限定されないことは言うまでも無い。
【００５２】
本図（Ａ）は、制御部９０Ａが、強運転で稼働状態にあった場合に、停止信号を受けると、電動機２０の回転速度を稼働状態における回転速度から徐々に減少させ始め、徐々に電動機２０の回転速度を減速した結果、電動機２０の回転速度が所定の回転速度（図中、設定値１と言う）になった時電動機２０の通電をオフにして、急に回転速度をゼロとするように制御することを示す。なお、この所定の回転速度（設定値１）とは、強運転の回転速度から徐々に減速させていく過程において連続した衝突音が発生し始める回転速度よりやや高い回転速度とする。
【００５３】
一方、制御部９０Ａは、電動機２０の回転速度が所定の回転速度（設定値１）になるまでファン４用のモータの回転速度を維持し、ファン４の回転速度を徐々に減速してゼロとするように制御する。すなわち、フィルタ１０（電動機２０）の回転速度を徐々に減少させつつ、フィルタ１０の回転速度が所定の回転速度（設定値１）になるまでファン４の回転速度を維持してファンが発生させる空気の流れを維持することにより、フィルタ１０が空気の流れの方へ押さえつけられてフィルタ１０のボス１２の溝と電動機シャフト２１のピン２２との係合が緩むことがなく、大きな衝撃音および連続した衝突音の発生を回避することができる。
【００５４】
また、本図（Ｂ）は、制御部９０Ａが、中運転で稼働状態にあった場合に、停止信号を受けると、電動機２０の回転速度を稼働状態における回転速度から徐々に減少させ始め、徐々に電動機２０の回転速度を減速した結果、電動機２０の回転速度が所定の回転速度（図中、設定値２と言う）になった時電動機２０の通電をオフにすると共に、ファン４の回転速度を徐々に減速してゼロとするように制御することを示す。
【００５５】
また、本図（Ｃ）は、制御部９０Ａが、弱運転で稼働状態にあった場合に、停止信号を受けると、電動機２０の回転速度を稼働状態における回転速度から徐々に減少させ始め、徐々に電動機２０の回転速度を減速した結果、電動機２０の回転速度が所定の回転速度（図中、設定値３と言う）になった時電動機２０の通電をオフにすると共に、ファン４の回転速度を徐々に減速してゼロとするように制御することを示す。
【００５６】
なお、強運転における所定の回転速度である設定値１は、中運転や弱運転における所定の回転速度である設定値２や設定値３より小さく、設定値１＜設定値２＜設定値３の関係が好ましい。レンジフード稼動状態において強運転時は弱運転時に比べファンが高回転している。よって、フィルタのボス溝とシャフトのピンとの係合がより強固な係合状態となって安定した状態で回転するため、強運転状態にあった場合は弱運転状態にあった場合に比べて所定の回転数を低く設定することができる。
【００５７】
したがって、制御部９０は、稼働状態において、ファン４の回転速度を強中弱のように多段階に変化させ、多段階のそれぞれのファン４の回転速度に対応して電動機２０の回転速度を変化させ、電動機２０の所定の回転速度は、停止信号を受ける直前の稼働状態における多段階のそれぞれの電動機２０の回転速度に対応するように制御してもよい。これによれば、停止信号を受ける直前の稼働状態のファンの回転速度が複数ある場合であっても、所定の回転速度をその回転速度に対応させることができる。
【００５８】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００５９】
１      レンジフード
２      フード部
３      送風機ボックス
４      ファン
５      内面パネル
６      連通口
７      整流板
９      幕板
１０    フィルタ
１１    孔
１２    ボス
１４    着脱具
２０    電動機
２１    シャフト
２２    ピン
３０    油分捕集部材
４０    電動機取付具
５０    取付板
９０    制御部
９１    信号出力部
Ｄ１    空気の流れる方向
【図１】
0006357506.tif 000002
【図２】
0006357506.tif 000003
【図３】
0006357506.tif 000004
【図４】
0006357506.tif 000005
【図５】
0006357506.tif 000006
【図６】
0006357506.tif 000007
【図７】
0006357506.tif 000008
【図８】
0006357506.tif 000009
【図９】
0006357506.tif 000010